(57)【要約】【課題】簡易な構成を用いつつも止水を適切に行わせる。【解決手段】外壁目地の止水構造は、上部が壁材２５と下地フレーム２６との間に固定されるとともに、下部が壁材２５の下方に垂れ下がって設けられる壁下シート３３と、壁材２５の間に形成される縦目地２８の下方において壁下シート３３の屋外側から設けられるシリコンシール３８と、隣り合う壁材２５の各壁下シート３３に跨がるようにしてそれら各壁下シート３３に貼り付けられる止水シート３６，３７と、縦目地２８に設けられるガスケット３５と、を備えている。そして、止水シート３７は、壁材２５の下方においてシリコンシール３８を屋外側から覆い、かつその上部が縦目地２８内においてガスケット３５の下端部の奥側に入り込んだ状態で設けられている。【選択図】      図３
2018003378.tif 000002
【特許請求の範囲】
【請求項１】
壁材と下地フレームとを有する複数の外壁パネルを横並びに固定して構成される建物外壁部に適用され、隣り合う前記壁材の間に形成される目地の止水構造であって、
上部が前記壁材と前記下地フレームとの間に固定されるとともに、下部が前記壁材の下方に垂れ下がって設けられる壁下シートと、
前記壁材の間に形成される目地の下方において前記壁下シートの屋外側から設けられる不定形シールと、
隣り合う前記壁材の前記各壁下シートに跨がるようにしてそれら各壁下シートに貼り付けられる止水シートと、
前記目地に設けられる定形シールと、
を備え、
前記止水シートは、前記壁材の下方において前記不定形シールを屋外側から覆い、かつその上部が前記目地内において前記定形シールの下端部の奥側に入り込んだ状態で設けられていることを特徴とする外壁目地の止水構造。
【請求項２】
前記止水シートは、前記目地内において前記定形シールの下端部の奥側に入り込む部位として突起部を有していることを特徴とする請求項１に記載の外壁目地の止水構造。
【請求項３】
前記突起部の横幅寸法は、前記目地の幅寸法よりも大きいものとなっていることを特徴とする請求項２に記載の外壁目地の止水構造。
【請求項４】
前記止水シートは、一方の面を接着面とし、前記接着面において前記不定形シールを覆う部分が非接着部となっていることを特徴とする請求項１乃至３のいずれか１項に記載の外壁目地の止水構造。
【請求項５】
前記止水シートは、
前記壁材の下方において前記各壁下シートに跨がるようにして貼り付けられる第１シートと、
前記第１シートの屋外側であって、かつ上部が前記第１シートよりも上方にはみ出した状態で貼り付けられ、前記目地内において前記定形シールの下端部の奥側に入り込む部位を有する第２シートと、
を有し、
前記第１シートと前記第２シートとの間に前記不定形シールが設けられていることを特徴とする請求項１乃至４のいずれか１項に記載の外壁目地の止水構造。
【請求項６】
前記建物外壁部において、隣り合う前記外壁パネルは、前記下地フレームの縦フレーム部どうしが連結されることで結合され、前記縦フレーム部には、フレーム連結部分を止水する止水部材が設けられ、その止水部材が前記壁下シートの屋外側で前記壁材よりも下方に延びており、
前記第１シートは、前記止水部材の下方において該止水部材に重ならないように設けられ、
前記第２シートは、前記止水部材と前記第１シートとの間となる部分を含む範囲で設けられていることを特徴とする請求項５に記載の外壁目地の止水構造。
【請求項７】
前記止水シートは、前記壁下シートに対する貼り付け状態で壁厚み方向の屋外側に膨出した状態となっている膨出部を有し、その膨出部に前記不定形シールが充填されていることを特徴とする請求項１乃至６のいずれか１項に記載の外壁目地の止水構造。
【請求項８】
前記定形シールは、長手方向に延びる中空部を有し、該中空部の上下各端部がそれぞれ開口しており、
前記止水シートは、その上部が前記定形シールの下端開口よりも上方にて前記目地内に押し込まれた状態で設けられていることを特徴とする請求項１乃至７のいずれか１項に記載の外壁目地の止水構造。
【請求項９】
壁材と下地フレームとを有する複数の外壁パネルを横並びに固定して構成される建物外壁部に適用され、隣り合う前記壁材の間に形成される目地に対して止水処理を実施する外壁目地の止水処理方法であって、
前記外壁パネルは、上部が前記壁材と前記下地フレームとの間に固定されるとともに、下部が前記壁材の下方に垂れ下がって設けられる壁下シートを備えており、
隣り合う前記各壁下シートに跨がるようにしてそれら各壁下シートに止水シートを貼り付けるシート貼付処理と、
その後、前記止水シートの上部を屋外側に引き寄せた状態で、前記壁材の間に形成される目地の下方において前記壁下シートの屋外側から不定形シールを充填する充填処理と、
その後、前記止水シートを、前記不定形シールを屋外側から覆う状態とするとともに、前記止水シートの上部を前記目地内の奥側に押し込みつつ、定形シールを装着する装着処理と、
を備えることを特徴とする外壁目地の止水処理方法。
【請求項１０】
前記シート貼付処理は、
前記止水シートとしての第１シートを、前記壁材の下方において前記各壁下シートに跨がるようにして貼り付ける第１処理と、
前記止水シートとしての第２シートを、前記第１シートの屋外側であって、かつ上部が前記第１シートよりも上方にはみ出した状態で貼り付ける第２処理と、
を有し、
前記充填処理では、前記第２シートの上部を屋外側に引き寄せた状態で前記不定形シールを充填し、
前記装着処理では、前記第２シートを、前記不定形シールを屋外側から覆う状態とするとともに、前記第２シートの上部を前記目地内の奥側に押し込みつつ前記定形シールを装着することを特徴とする請求項９に記載の外壁目地の止水処理方法。
【発明の詳細な説明】
【技術分野】
【０００１】
本発明は、外壁目地の止水構造、及び止水処理方法に関する。
【背景技術】
【０００２】
住宅等の建物では、複数の外壁パネルが横並びに設けられることにより外壁が構成されている場合がある。この種の外壁パネルは、壁材と、壁材の屋内側に設けられた下地フレームとを有して構成されている。この場合、隣り合う外壁パネルの間には上下に延びる目地（縦目地）が形成される。目地には、当該目地を通じて屋内側に雨水等の水が浸入するのを阻止するために、ガスケットやシーリング材等の止水シールが設けられている。
【０００３】
外壁目地の止水構造として、例えば特許文献１には、縦目地に挿入される長尺状の平面視略Ｕ字形の凹部と、その凹部の両側縁に延設されるフランジ部とが形成された縦目地止水部と、縦目地止水部の下端において横方向に延設されるエプロン部と、縦目地止水部の底面を塞ぐ底面部とを備える構成が開示されている。
【先行技術文献】
【特許文献】
【０００４】
【特許文献１】特許第５３５８２６４号公報
【発明の概要】
【発明が解決しようとする課題】
【０００５】
しかしながら、上記特許文献１の技術を含め既存の技術では、外壁目地における止水性能を高めるべく複雑な構成が必須となっており、コストや作業性等を考えると、技術改善の余地があると考えられる。
【０００６】
本発明は、上記事情に鑑みてなされたものであり、簡易な構成を用いつつも止水を適切に行わせることができる外壁目地の止水構造、及び止水処理方法を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００８】
第１の発明は、
壁材（２５）と下地フレーム（２６）とを有する複数の外壁パネル（２４）を横並びに固定して構成される建物外壁部（２０）に適用され、隣り合う前記壁材の間に形成される目地（２８）の止水構造であって、
上部が前記壁材と前記下地フレームとの間に固定されるとともに、下部が前記壁材の下方に垂れ下がって設けられる壁下シート（３３）と、
前記壁材の間に形成される目地の下方において前記壁下シートの屋外側から設けられる不定形シール（３８）と、
隣り合う前記壁材の前記各壁下シートに跨がるようにしてそれら各壁下シートに貼り付けられる止水シート（３６，３７，５１）と、
前記目地に設けられる定形シール（３５）と、
を備え、
前記止水シートは、前記壁材の下方において前記不定形シールを屋外側から覆い、かつその上部が前記目地内において前記定形シールの下端部の奥側に入り込んだ状態で設けられていることを特徴とする。
【０００９】
上記の目地構造では、隣り合う壁材により形成される目地の下方において、各壁下シートに跨がるようにしてそれら各壁下シートに止水シートが貼り付けられるとともに、壁下シートの屋外側から不定形シールが設けられている。また特に、止水シートは、壁材の下方において不定形シールを屋外側から覆い、かつ上部が目地内において定形シールの下端部の奥側に入り込んだ状態で設けられている。かかる場合、不定形シールが止水シートにより覆われることで、不定形シールによるシール性の向上を図ることができる。このとき、止水シートの上部が目地内において定形シールの下端部の奥側に入り込んでいる状態では、止水シートにより不定形シールが押さえ付けられ、不定形シールが止水シートの裏面側で拡散されつつ配置されることとなる。これにより、止水性能が高められる。その結果、簡易な構成を用いつつも止水を適切に行わせることができる。
【００１０】
第２の発明は、前記止水シートは、前記目地内において前記定形シールの下端部の奥側に入り込む部位として突起部（３７ｂ，５１ｂ）を有していることを特徴とする。
【００１１】
上記構成によれば、止水シートを壁下シートの側に貼り付ける際には、目地に対して突起部を位置合わせしながら止水シートの貼り付けが行われる。これにより、止水シートの位置合わせが容易となり、作業性の向上を図ることができる。
【００１２】
第３の発明は、前記突起部の横幅寸法は、前記目地の幅寸法よりも大きいものとなっていることを特徴とする。
【００１３】
突起部の横幅寸法が目地の幅寸法よりも大きいことにより、止水構造の施工に際して、壁下シートの側に止水シートが貼り付けられた後であって、かつ目地に定形シールが嵌め込まれる前には、突起部が壁材の手前側に向けて反り返るようになる。そのため、止水シートの奥側に不定形シールを充填する作業を行う上で好適となっている。
【００１４】
第４の発明は、前記止水シートは、一方の面を接着面とし、前記接着面において前記不定形シールを覆う部分が非接着部となっていることを特徴とする。
【００１５】
止水シートの接着面において、不定形シールを覆う部分が非接着部となっているため、止水シートにより不定形シールを押さえ付ける際に不定形シールを好適に拡散させることができる。つまり、仮に止水シートの接着部で不定形シールを押さえ付ける場合には、不定形シールが接着部に付着することで拡散しにくくなるが、こうした不都合を抑制できる。またこのとき、止水シートを、不定形シールを充填する際の受けとして用いることで、シール充填作業を行う際の作業性向上を図ることができる。
【００１６】
第５の発明は、前記止水シートは、前記壁材の下方において前記各壁下シートに跨がるようにして貼り付けられる第１シート（３６）と、前記第１シートの屋外側であって、かつ上部が前記第１シートよりも上方にはみ出した状態で貼り付けられ、前記目地内において前記定形シールの下端部の奥側に入り込む部位を有する第２シート（３７）と、を有し、前記第１シートと前記第２シートとの間に前記不定形シールが設けられていることを特徴とする。
【００１７】
上記構成によれば、隣り合う壁下シートの間が第１シートにより跨がれた状態で、その上から第２シートが貼り付けられている。この場合、先に第１シートが貼り付けられることで、壁下シート間で隙間となる範囲を狭めておき、その状態で不定形シールの充填と第２シートの貼り付けを実施でき、壁下シート間における止水性能向上を図る上で好適な構成を実現できる。
【００１８】
第６の発明は、前記建物外壁部において、隣り合う前記外壁パネルは、前記下地フレームの縦フレーム部（２６ａ）どうしが連結されることで結合され、前記縦フレーム部には、フレーム連結部分を止水する止水部材（３１）が設けられ、その止水部材が前記壁下シートの屋外側で前記壁材よりも下方に延びており、前記第１シートは、前記止水部材の下方において該止水部材に重ならないように設けられ、前記第２シートは、前記止水部材と前記第１シートとの間となる部分を含む範囲で設けられている。
【００１９】
縦フレーム部に、フレーム連結部分を止水する止水部材が設けられ、その止水部材が壁下シートの屋外側で壁材よりも下方に延びている構成では、第１シートが止水部材に重ならないように設けられていることによって、第１シートの浮き上がりが抑制される。ただし、止水部材と第１シートとの間となる部分には、隣り合う壁下シートの間にピンホールが形成され、そのピンホールにより止水切れが生じることの懸念が生じる。この点、第２シートが、止水部材と第１シートとの間となる部分を含む範囲で設けられているため、上記ピンホールによる止水切れを抑制できる。
【００２０】
第７の発明は、前記止水シートは、前記壁下シートに対する貼り付け状態で壁厚み方向の屋外側に膨出した状態となっている膨出部（４１ｂ）を有し、その膨出部に前記不定形シールが充填されていることを特徴とする。
【００２１】
止水シートに膨出部を設けることにより、壁下シートの屋外側における不定形シールの充填を好適に実施できる。この場合、適正量の不定形シールを適正位置に配設できる。不定形シールの充填作業を行う上でも好適な構成となる。
【００２２】
第８の発明は、前記定形シールは、長手方向に延びる中空部を有し、該中空部の上下各端部がそれぞれ開口しており、前記止水シートは、その上部が前記定形シールの下端開口よりも上方にて前記目地内に押し込まれた状態で設けられていることを特徴とする。
【００２３】
定形シールに、長手方向に延びる中空部が設けられ、その中空部が上下端部でそれぞれ開口している構成では、その中空部を通じて雨水等の排出が行われる。かかる構成において、止水シートの上部が、定形シールの下端開口よりも上方にて押し込まれた状態で設けられているため、その止水シートによって、定形シールの下端開口が不定形シールにより塞がれてしまうといった不都合を抑制できる。
【００２４】
第９の発明は、
壁材（２５）と下地フレーム（２６）とを有する複数の外壁パネル（２４）を横並びに固定して構成される建物外壁部（２０）に適用され、隣り合う前記壁材の間に形成される目地（２８）に対して止水処理を実施する外壁目地の止水処理方法であって、
前記外壁パネルは、上部が前記壁材と前記下地フレームとの間に固定されるとともに、下部が前記壁材の下方に垂れ下がって設けられる壁下シート（３３）を備えており、
隣り合う前記各壁下シートに跨がるようにしてそれら各壁下シートに止水シート（３６，３７）を貼り付けるシート貼付処理と、
その後、前記止水シートの上部を屋外側に引き寄せた状態で、前記壁材の間に形成される目地の下方において前記壁下シートの屋外側から不定形シール（３８）を充填する充填処理と、
その後、前記止水シートを、前記不定形シールを屋外側から覆う状態とするとともに、前記止水シートの上部を前記目地内の奥側に押し込みつつ、定形シール（３５）を装着する装着処理と、
を備えることを特徴とする。
【００２５】
上記の止水処理方法によれば、隣り合う壁材により形成される目地の下方において、各壁下シートに跨がるようにしてそれら各壁下シートに止水シートが貼り付けられるとともに、壁下シートの屋外側から不定形シールが充填される。また特に、止水シートは、壁材の下方において不定形シールを屋外側から覆い、かつ上部が目地内において定形シールの下端部の奥側に押し込まれる。かかる場合、不定形シールが止水シートにより覆われることで、不定形シールによるシール性の向上を図ることができる。このとき、止水シートの上部が目地内において定形シールの下端部の奥側に入り込んでいる状態では、止水シートにより不定形シールが押さえ付けられ、不定形シールが止水シートの裏面側で拡散されつつ配置されることとなる。これにより、止水性能が高められる。その結果、簡易な構成を用いつつも止水を適切に行わせることができる。
【００２６】
第１０の発明は、前記シート貼付処理は、前記止水シートとしての第１シート（３６）を、前記壁材の下方において前記各壁下シートに跨がるようにして貼り付ける第１処理と、前記止水シートとしての第２シート（３７）を、前記第１シートの屋外側であって、かつ上部が前記第１シートよりも上方にはみ出した状態で貼り付ける第２処理と、を有し、前記充填処理では、前記第２シートの上部を屋外側に引き寄せた状態で前記不定形シールを充填し、前記装着処理では、前記第２シートを、前記不定形シールを屋外側から覆う状態とするとともに、前記第２シートの上部を前記目地内の奥側に押し込みつつ前記定形シールを装着することを特徴とする。
【００２７】
上記の止水処理方法によれば、隣り合う壁下シートの間が第１シートにより跨がれた状態で、その上から第２シートが貼り付けられる。この場合、先に第１シートが貼り付けられることで、壁下シート間で隙間となる範囲を狭めておき、その状態で不定形シールの充填と第２シートの貼り付けを実施でき、壁下シート間における止水性能向上を図る上で好適な構成を実現できる。
【図面の簡単な説明】
【００２８】
【図１】ユニット式建物の概要を示す斜視図。
【図２】ユニット式建物の概要を示す斜視図。
【図３】（ａ）は、屋根外壁部の下端部における止水構造を示す正面図、（ｂ）は、目地部分の縦断面図。
【図４】止水構造を構成する各部材を分解して示す分解斜視図。
【図５】外壁パネルの詳細な構成を示す分解斜視図。
【図６】止水構造の製造手順を示す説明図。
【図７】シールカバーの正面図。
【図８】壁下シートに防水テープを貼り付けた状態を示す正面図。
【図９】止水処理を詳細に示す斜視図。
【図１０】別例における止水構造を示す斜視図。
【図１１】別例において止水構造を構成する各部材を分解して示す分解斜視図。
【図１２】シールカバーの別例を示す正面図。
【発明を実施するための形態】
【００２９】
以下に、本発明を具体化した一実施の形態について図面を参照しつつ説明する。本実施形態では、建物として、複数の建物ユニットが互いに組み合わされてなるユニット式建物を具体化している。図１は、そのユニット式建物の概要を示す斜視図である。
【００３０】
図１に示すように、建物１０は、一階部分１１及び二階部分１２を有する建物本体１３と、その建物本体１３の上方に設けられた屋根部１４とを備えている。建物本体１３は、複数の建物ユニット１５が互いに連結されることにより構成されている。屋根部１４は、例えば切り妻式の屋根として構成されている。建物１０の施工に際しては、建物ユニット１５が製造工場においてあらかじめ製造され、その後施工現場にトラック等により搬送される。そして、施工現場において複数の建物ユニット１５が組み付けられるとともに、その上に屋根部１４が施工されることにより建物１０が構築される。
【００３１】
建物ユニット１５の構成は周知であるため、ここでは簡単に説明する。建物ユニット１５は、その四隅に配設される４本の柱と、各柱の上端部及び下端部をそれぞれ連結する各４本の天井大梁及び床大梁とを備え、それら柱、天井大梁及び床大梁により直方体状に形成されている。柱は四角筒状の角形鋼よりなり、天井大梁及び床大梁は断面コ字状の溝形鋼よりなる。
【００３２】
建物１０の外周部分は外壁部２０となっている。外壁部２０は、建物本体１３に設けられた本体外壁部２０ａと、屋根部１４に設けられた屋根外壁部２０ｂとを有している。
【００３３】
図２に示すように、本体外壁部２０ａは、建物ユニット１５の天井大梁及び床大梁に固定された複数の外壁パネル２１により構成されている。外壁パネル２１は、壁材２２と下地フレーム２３とにより構成されている。また、屋根外壁部２０ｂは、例えば屋根部１４の妻面に設けられ、その妻面に応じた形状を有する複数の外壁パネル２４により構成されている。外壁パネル２４は、壁材２５と下地フレーム２６とにより構成されている。壁材２２，２５は、窯業系サイディングボード等の外壁面材よりなり、その表面により屋外面（外壁面）が形成される。下地フレーム２３，２６は、例えば溝形鋼等により矩形に形成された矩形フレームよりなる。なお、本体外壁部２０ａの外壁パネル２１は、基本的にユニット工場にて建物ユニット１５に取り付けられ、屋根外壁部２０ｂの外壁パネル２４は現場施工される。
【００３４】
本体外壁部２０ａにおいては、複数の外壁パネル２１が横並びで配置されており、隣り合う外壁パネル２１の間には縦目地２７が形成されている。また、屋根外壁部２０ｂにおいては、複数の外壁パネル２４が横並びで配置されており、隣り合う外壁パネル２４の間には縦目地２８が形成されている。
【００３５】
次に、屋根外壁部２０ｂの縦目地２８を例にして、縦目地２８の止水構造について説明する。図３（ａ）は、屋根外壁部２０ｂの下端部における止水構造を示す正面図であり、図３（ｂ）は、目地部分の縦断面図である。図３（ａ）に示す部分は、図２のＡ部に相当する。図４は、止水構造を構成する各部材を分解して示す分解斜視図である。また、図５は、外壁パネル２４の詳細な構成を示す分解斜視図である。
【００３６】
なお、図示は略しているが、建物１０の外壁部２０において、一階部分１１と二階部分１２との境界部分や、本体外壁部２０ａと屋根外壁部２０ｂとの境界部分にはその境界見切り部を隠す化粧胴差しが取り付けられるようになっており、これらの境界部分における上下方向の各壁材２２，２５の間の離間部分は化粧胴差しにより隠されるようになっている。
【００３７】
図５に示すように、外壁パネル２４において、下地フレーム２６の縦フレーム部２６ａ及び横フレーム部２６ｂには、それぞれ例えばＥＰＤＭ等のゴム材（スポンジ材）よりなる長尺状の止水部材３１，３２が貼り付けられている。止水部材３１，３２のうち止水部材３１は、縦フレーム部２６ａの屋外側及び側方に断面Ｌ形に貼り付けられ、壁材２５よりも僅かに下方に突き出るようにして設けられている（図のＢ部）。より詳細に言えば、縦フレーム部２６ａの下端部は、壁材２５の下端よりも下方に突き出ており、その突き出し部分まで延びるようにして止水部材３１が貼り付けられている。
【００３８】
また、横フレーム部２６ｂには、上部が壁材２５の裏面側に固定されるとともに、その下部が壁材２５の下方に垂れ下がる状態で壁下シート３３が設けられている。本実施形態では、壁材２５及び下地フレーム２６（詳しくは横フレーム部２６ｂ）の間に挟まれた状態で、壁下シート３３が取り付けられている。壁下シート３３は、クロロプレンゴム（ＣＲゴム）等の耐水性を有する材料により形成された防水シートであり、外壁パネル２４の下端部に沿って延びている。止水部材３１は、壁下シート３３の表面側に設けられており、これら各部材３１，３３が重なり合う部分では、止水部材３１が表側（屋外側）、壁下シート３３が裏側（屋内側）となっている。
【００３９】
屋根外壁部２０ｂにおいては、隣り合う外壁パネル２４が、縦フレーム部２６ａどうしの連結により結合される構成となっており、その結合状態では、隣り合う各縦フレーム部２６ａの間に止水部材３１が押し潰された状態（圧縮された状態）で配置されるようになっている。
【００４０】
図３に示すように、壁下シート３３は、その下端部が二階部分１２における外壁パネル２１の壁材２２の表側に重ねられている。この場合、壁下シート３３は、壁材２５の裏面側と壁材２２の裏面側との間で上下に架け渡された状態となっている。これにより、それら壁材２２，２５の間が壁下シート３３により閉塞され、壁材２２，２５の間を通じて雨水等の水が屋内側に浸入することが防止されている。
【００４１】
図３及び図４に示すように、縦目地２８及びその周辺部においては、縦目地２８を通じて屋内側に水が浸入するのを防止すべく止水処理が施されており、その止水処理には壁材２５の下端より上側の止水処理と、壁材２５の下端より下側の止水処理とが含まれている。ここで、壁材２５の下端より上側の止水処理としては、上述したように互いに連結される縦フレーム部２６ａの間に止水部材３１が設けられるとともに、その手前側（すなわち屋外側）に定形シールとしてのガスケット３５が設けられている。ガスケット３５は、ＥＰＤＭ等の弾性材料により長尺に形成されている。ガスケット３５は、長手方向に延びる中空部を有しており、その中空部は上端及び下端にて各々開口している（図９（ｃ）参照）。縦目地２８において、ガスケット３５が一次シールとなり、止水部材３１が二次シールとなっている。
【００４２】
また、壁材２５の下端より下側の止水処理としては、各壁材２５に設けられた壁下シート３３の繋ぎ合わせ部分の止水処理が施されている。その概略として、隣り合う壁下シート３３の繋ぎ合わせ部分には、屋外側から防水テープ３６とシールカバー３７とが貼り付けられるとともに、シールカバー３７の裏面側であって、かつ壁下シート３３上の止水部材３１の下端を含む部分に、不定形シールとしてのシリコンシール３８が設けられている。本実施形態では、防水テープ３６が「第１シート」に相当し、シールカバー３７が「第２シート」に相当する。
【００４３】
次に、縦目地２８の止水構造を、製造手順と共により具体的に説明する。図６は、止水構造の製造手順を示す説明図である。
【００４４】
図６（ａ）は、屋根部１４において複数の外壁パネル２４が設置された状態を示しており、各外壁パネル２４の境界に沿って隣り合う壁下シート３３の分かれ目が存在している。
【００４５】
そして、図６（ｂ）に示すように、隣り合う壁下シート３３を跨ぐようにして壁下シート３３に防水テープ３６が貼り付けられる（「シート貼付処理の第１処理」に相当）。防水テープ３６は、例えばブチルゴム等の合成ゴムよりなる粘着テープであり、一方の面の全面が接着面となっている。そして、止水部材３１の下端に防水テープ３６の上端を位置合わせするようにして、壁下シート３３に防水テープ３６が貼り付けられる。これにより、隣り合う壁下シート３３が一体化されるとともに、止水部材３１より下方において壁下シート３３どうしの間が塞がれるようになっている。なお、防水テープ３６の貼り付けに先立って、例えば壁下シート３３の裏面を粘着テープ片により仮止めするようにしてもよい。
【００４６】
その後、図６（ｃ）に示すように、止水部材３１における壁材下方への突出部分と防水テープ３６とに対して、屋外側からシールカバー３７が貼り付けられる（「シート貼付処理の第２処理」に相当）。シールカバー３７は、防水テープ３６と同様、例えばブチルゴム等の合成ゴムよりなる。このとき、シールカバー３７が、防水テープ３６の屋外側であって、かつ上部が防水テープ３６よりも上方にはみ出した状態で貼り付けが行われる。シールカバー３７は、図７に示すように、矩形状の本体部３７ａと、その本体部３７ａの一辺中央部から突き出た突起部３７ｂとを有する形状をなしており、本体部３７ａの横幅Ｌ１は、防水テープ３６の横幅よりも小さい寸法、又は防水テープ３６の横幅と同じとなっている。シールカバー３７は、一面側に接着面を有し、その接着面において少なくとも突起部３７ｂを除く部分が接着部Ｎ１、突起部３７ｂを含む部分が非接着部Ｎ２となっている。また換言すると、接着面においてシリコンシール３８を覆う部分が非接着部Ｎ２となっている。
【００４７】
シールカバー３７において、接着部Ｎ１は防水テープ３６に重ねて貼り付けられる部位である。また、本体部３７ａにおける非接着部Ｎ２の上下方向の長さ寸法Ｌ２は、防水テープ３６の上端から壁材２５の下端までの離間寸法に応じた寸法、換言すれば、壁材２５の下方における止水部材３１の突出寸法に応じた寸法であり、例えば止水部材３１の突出寸法よりも若干大きい寸法である。また、突起部３７ｂの突出寸法Ｌ３は、壁材２５の厚さ寸法よりも大きい寸法、突起部３７ｂの横幅寸法Ｌ４は、縦目地２８の幅寸法よりも大きい寸法となっている。
【００４８】
ここで、壁下シート３３に防水テープ３６を貼り付けた状態では、図８に示すように、止水部材３１と防水テープ３６との間において左右の壁下シート３３の隙間によるピンホールＰが形成されることが懸念され、そのピンホールＰにより止水性能が低下するおそれがある。これを鑑みて、ピンホールＰを覆う位置にシールカバー３７が配置される。
【００４９】
なお、仮に防水テープ３６が止水部材３１の上に乗り上げるように貼り付けられると、止水部材３１の厚みにより防水テープ３６の浮き上がりが生じることに起因して、ピンホールが形成されることが懸念される。そのため、左右の壁下シート３３の隙間部分を極力小さくし、かつ防水テープ３６の浮き上がりを防止すべく、止水部材３１の下端に防水テープ３６の上端を位置合わせするようにして、壁下シート３３に防水テープ３６が貼り付けられるのが望ましい。
【００５０】
その後、図６（ｄ）に示すように、防水テープ３６とシールカバー３７との間にシリコンシール３８が充填される（「充填処理」に相当）。シリコンシール３８は、例えば変成シリコン系シーリング材よりなり、シールガンＧ等のツールを用いてペースト状で充填され、時間の経過に伴い硬化する。
【００５１】
充填処理の詳細を図９（ａ），（ｂ）を用いて説明する。図９（ａ）では、防水テープ３６の上にシールカバー３７が貼り付けられた状態となっている。このとき、防水テープ３６に対して接着部Ｎ１が接着されるのに対し、非接着部Ｎ２が壁材２５の表側に反り曲がる状態となっている。なお、上述したように、突起部３７ｂの突出寸法Ｌ３が壁材２５の厚さ寸法よりも大きく、かつ横幅寸法Ｌ４が縦目地２８の幅寸法よりも大きいため、突起部３７ｂは、縦目地２８内に入り込むことなく、壁材２５の表面よりも手前側に突き出るようになっている。
【００５２】
そして図９（ｂ）に示すように、シールカバー３７の突起部３７ｂを指で摘んで非接着部Ｎ２を手前側に引き寄せた状態で、ピンホールＰ付近にシリコンシール３８が充填される。このとき、シールカバー３７の上部が手前側に反り曲がった状態で、その上にシリコンシール３８が充填されるため、シールカバー３７でシリコンシール３８を受け止めることができ、シリコンシール３８の垂れ落ちが抑制される。
【００５３】
その後、図６（ｅ）に示すように、シリコンシール３８にシールカバー３７を被せた状態、すなわち壁材２５の下方においてシリコンシール３８を屋外側から覆った状態として、縦目地２８にガスケット３５が挿入配置される（「装着処理」に相当）。このとき、縦目地２８の下端部においては、シールカバー３７の突起部３７ｂを縦目地２８の奥側に押し込みながら、ガスケット３５が縦目地２８内に嵌め込まれる。つまり、ガスケット３５の装着状態では、縦目地２８において突起部３７ｂがガスケット３５の奥側に配置されることとなる。
【００５４】
ここで、ガスケット３５の嵌め込み時には、ガスケット３５の奥側にシールカバー３７の突起部３７ｂを配した状態で、シールカバー３７の非接着部Ｎ２を押さえ付けながらガスケット３５が装着される。これにより、防水テープ３６とシールカバー３７との間においてシリコンシール３８が面方向に拡散される。詳しくは、図９（ｃ）に示すようにシリコンシール３８が拡散される。このとき、シリコンシール３８は、シールカバー３７の非接着部Ｎ２の裏側に充填されているため、カバー接着部がシリコンシール３８の拡散の妨げとなるといった不都合が抑制されている。
【００５５】
また、シールカバー３７よりも外側にシリコンシール３８がはみ出すことで（図のＣ部分）、シリコンシール３８が所定範囲に広く存在することになり、シリコンシール３８による止水が果たされていることの確認が可能となっている。またこのとき、ガスケット３５の下端は中空部の開口端部となっているが、シールカバー３７の突起部３７ｂが縦目地２８内に入り込むことで、シールカバー３７の裏側のシリコンシール３８によりガスケット３５の開口端部が塞がれるといった不都合が生じないようになっている。
【００５６】
なお、シールカバー３７において突起部３７ｂの付け根部分には拡張部３７ｃが形成されており、この拡張部３７ｃによって、シールカバー３７の裏側からガスケット３５側へのシリコンシール３８の漏れ出しが抑制されるようになっている。
【００５７】
以上により、図６（ｆ）に示すように、壁材２５の下端より上側の止水処理と、壁材２５の下端より下側の止水処理とが完了する。
【００５８】
以上、詳述した本実施形態の構成によれば、以下の優れた効果が得られる。
【００５９】
上記の目地構造では、隣り合う壁材２５により形成される縦目地２８の下方において、各壁下シート３３に跨がるようにしてそれら各壁下シート３３に防水テープ３６とシールカバー３７とが貼り付けられるとともに、壁下シート３３の屋外側からシリコンシール３８が設けられている。また特に、シールカバー３７は、壁材２５の下方においてシリコンシール３８を屋外側から覆い、かつ上部が縦目地２８内においてガスケット３５の下端部の奥側に入り込んだ状態で設けられている。かかる場合、シリコンシール３８がシールカバー３７により覆われることで、シリコンシール３８によるシール性の向上を図ることができる。このとき、シールカバー３７の上部が縦目地２８内においてガスケット３５の下端部の奥側に入り込んでいる状態では、シールカバー３７によりシリコンシール３８が押さえ付けられ、シリコンシール３８がシールカバー３７の裏面側で拡散されつつ配置されることとなる。これにより、止水性能が高められる。その結果、簡易な構成を用いつつも止水を適切に行わせることができる。
【００６０】
シールカバー３７は、縦目地２８内においてガスケット３５の下端部の奥側に入り込む部位として突起部３７ｂを有している。そのため、シールカバー３７を壁下シート３３の側に貼り付ける際には、縦目地２８に対して突起部３７ｂを位置合わせしながらシールカバー３７の貼り付けが行われる。これにより、シールカバー３７の位置合わせが容易となり、作業性の向上を図ることができる。
【００６１】
シールカバー３７の突起部３７ｂの横幅寸法Ｌ４が縦目地２８の幅寸法よりも大きい構成にしたため、止水構造の施工に際して、壁下シート３３の側にシールカバー３７が貼り付けられた後であって、かつ縦目地２８にガスケット３５が嵌め込まれる前には、突起部３７ｂが壁材２５の手前側に向けて反り返るようになる。そのため、シールカバー３７の奥側にシリコンシール３８を充填する作業を行う上で好適となっている。
【００６２】
シールカバー３７の接着面において、シリコンシール３８を覆う部分が非接着部Ｎ２となっているため、シールカバー３７によりシリコンシール３８を押さえ付ける際にシリコンシール３８を好適に拡散させることができる。つまり、仮にシールカバー３７の接着部でシリコンシール３８を押さえ付ける場合には、シリコンシール３８が接着部に付着することで拡散しにくくなるが、こうした不都合を抑制できる。またこのとき、シールカバー３７を、シリコンシール３８を充填する際の受けとして用いることで、シール充填作業を行う際の作業性向上を図ることができる。
【００６３】
シールカバー３７の接着面において、縦目地２８内に入り込む部位を含む部分が非接着部Ｎ２となっているため、シールカバー３７の貼り付け後においてシリコンシール３８を充填する際に、シリコンシール３８が不用意に壁下シート３３に貼り付いてしまい、充填作業が行いにくくなるといった不都合を抑制できる。
【００６４】
止水シートとして、防水テープ３６（第１シート）とシールカバー３７（第２シート）とを用い、隣り合う壁下シート３３の間が防水テープ３６により跨がれた状態で、その上からシールカバー３７が貼り付けられる構成とした。この場合、先に防水テープ３６が貼り付けられることで、壁下シート３３間で隙間となる範囲を狭めておき、その状態でシリコンシール３８の充填とシールカバー３７の貼り付けを実施でき、壁下シート３３間における止水性能向上を図る上で好適な構成を実現できる。
【００６５】
縦フレーム部２６ａに、フレーム連結部分を止水する止水部材３１が設けられ、その止水部材３１が壁下シート３３の屋外側で壁材２５よりも下方に延びている構成では、防水テープ３６が止水部材３１に重ならないように設けられていることによって、防水テープ３６の浮き上がりが抑制される。ただし、止水部材３１と防水テープ３６との間となる部分には、隣り合う壁下シート３３の間にピンホールＰが形成され、そのピンホールＰにより止水切れが生じることの懸念が生じる。この点、シールカバー３７が、止水部材３１と防水テープ３６との間となる部分を含む範囲で設けられているため、ピンホールＰによる止水切れを抑制できる。
【００６６】
ガスケット３５の中空部が上下端部でそれぞれ開口している構成において、シールカバー３７を、ガスケット３５の下端開口よりも上方にて押し込まれた状態で設けるようにした。したがって、シールカバー３７によって、ガスケット３５の下端開口がシリコンシール３８により塞がれてしまうといった不都合を抑制できる。
【００６７】
建物施工現場での建物製造時において、防水テープ３６を貼り付ける第１処理、シールカバー３７を貼り付ける第２処理、シリコンシール３８を充填する充填処理、ガスケット３５を装着する装着処理を順次実施することにより、上記構成の止水構造を構築するようにした。この場合、縦目地２８における適正なる止水構造の構築を実現できる。
【００６８】
本発明は上記実施形態に限らず、例えば次のように実施されてもよい。
【００６９】
・シールカバーが、壁下シート３３に対する貼り付け状態で壁厚み方向に膨出した膨出部を有し、その膨出部に不定形シールが充填される構成であってもよい。その具体的な構成を図１０に示す。図１０では、第２シートとしてのシールカバー４１において左右方向の中央部に、摘まみ部４１ａと膨出部４１ｂとが上下に設けられている。摘まみ部４１ａは、膨出部４１ｂの底部を形成するものであり、その上に、屋外側に膨らむようにして膨出部４１ｂが形成されている。膨出部４１ｂ内にシリコンシール３８が充填されている。シールカバー４１には、摘まみ部４１ａを形成する位置に縦方向に切り込みが形成されているとよく、その切り込みにより摘まみ部４１ａの形成が容易となる。なお、図示は省略するが、シールカバー４１は、上述のシールカバー３７と同様に、接着部Ｎ１と非接着部Ｎ２を有している。
【００７０】
シールカバー４１に膨出部４１ｂを設けることにより、壁下シート３３の屋外側におけるシリコンシール３８の充填を好適に実施できる。この場合、適正量のシリコンシール３８を適正位置に配設できる。したがって、シリコンシール３８の充填作業を行う上でも好適な構成となる。
【００７１】
なお、シールカバー４１は、貼り付け前の状態での横幅が防水テープ３６よりも大きくなっており、左右方向の中央部を摘まんで膨出部４１ｂを形成することで、横幅が防水テープ３６と同じになるようになっているとよい。この場合、防水テープ３６に対するシールカバー４１の余剰代が、膨出部４１ｂを形成する上でシールカバー４１の摘まみ量をどの程度にするかの目安となっている。
【００７２】
・上記実施形態では、止水シートとして防水テープ３６（第１シート）とシールカバー３７（第２シート）とを用いる構成としたが、これを変更し、１枚の止水シートを用いる構成としてもよい。図１１は、１枚の止水シート５１を用いた場合の構成図である。図１１の構成では、隣り合う各壁下シート３３に跨がるようにしてそれら各壁下シート３３に止水シート５１が貼り付けられるとともに、その止水シート５１の裏面側、すなわち壁下シート３３の屋外側にシリコンシール３８が設けられる。この場合、シリコンシール３８は、壁材２５の下方において止水シート５１により屋外側から覆われる。また、止水シート５１は、本体部５１ａと突起部５１ｂとを有しており、突起部５１ｂが、縦目地２８内においてガスケット３５の下端部の奥側に入り込んだ状態で設けられる。なお、図示は省略するが、止水シート５１は、上述のシールカバー３７と同様に、接着部Ｎ１と非接着部Ｎ２を有している。
【００７３】
図１１の構成における止水処理方法としては、
（１）隣り合う各壁下シート３３に跨がるようにしてそれら各壁下シート３３に止水シート５１を貼り付けるシート貼付処理と、
（２）その後、止水シート５１の上部を屋外側に引き寄せた状態で、縦目地２８の下方において壁下シート３３の屋外側からシリコンシール３８を充填する充填処理と、
（３）その後、止水シート５１を、シリコンシール３８を屋外側から覆う状態とするとともに、止水シート５１の上部（突起部５１ｂ）を縦目地２８内の奥側に押し込みつつ、ガスケット３５を装着する装着処理と、
を備えている。
【００７４】
上記構成においても、上記同様、簡易な構成を用いつつも止水を適切に行わせることができる。
【００７５】
・止水シートとしてのシールカバー３７を、透明又は半透明の基材にて構成してもよい。かかる構成によれば、シリコンシール３８の充填後に、そのシリコンシール３８の上にシールカバー３７を被せた状態で、シールカバー３７を通じてその奥側のシリコンシール３８を目視にて確認できる。したがって、シリコンシール３８の充填後において、シリコンシール３８の存在確認や、シリコンシール３８の充填量の確認、シリコンシール３８の拡散範囲の確認を容易に実施することができる。また、建物施工後のメンテナンス時においても、シールカバー３７を通じてシリコンシール３８の状態を容易に確認できる。防水テープ３６についても同様に、透明又は半透明の基材にて構成してもよい。
【００７６】
なお、シールカバー３７が透明又は半透明であるとは、シールカバー３７を通じてその奥側のシリコンシール３８の目視が可能になっていればよく、無色有色のいずれであってもよい。
【００７７】
また、図１１に示すように１枚の止水シート５１を用いる構成において、その止水シート５１を透明又は半透明の基材にて構成することも可能である。
【００７８】
・シールカバーは、上部に突起部を有する形状であることに限定されない。例えば、図１２に示すシールカバー６１は、全体として矩形状をなしており、その一辺側（貼り付け状態で上部となる部位）に一対の切り込み６２が設けられている。なお、一対の切り込み６２は平行又は非平行のいずれであってもよい。また、一対の切り込み６２は、直線に限らず、曲線であってもよい。そして、一対の切り込み６２の間が、縦目地２８内に入り込む部位６３となっている。なお、シールカバー６１は、一方の面を接着面とし、接着面において少なくとも部位６３を含む部分が非接着部Ｎ２となっている。また、シールカバー６１は、接着面においてシリコンシール３８を覆う部分が非接着部Ｎ２となっている。
【００７９】
・上記実施形態では、止水部材３１を、壁材２５よりも僅かに下方に突き出るようにして設けたが（図４、図５参照）、これを変更し、止水部材３１を、壁材２５の下方に突き出させずに設けてもよい。この場合、止水部材３１を、壁材２５の下端と同じ位置までの範囲で設けるとよい。又は、止水部材３１を、壁材２５の下端よりも僅かに上方までの範囲で設けてもよい。いずれにしろ、シリコンシール３８の拡散により止水性能を高めることが可能となる。
【００８０】
・本発明の止水処理方法は、建物の新築時だけでなく、建物のリフォーム時、すなわち建物外壁部の修繕時にも適用できる。
【００８１】
・本発明は、本体外壁部２０ａと屋根外壁部２０ｂとの境界部付近の縦目地２８に適用されるだけでなく、他の箇所への適用も可能である。例えば、本体外壁部２０ａにおいて上階部分と下階部分との境界部付近の縦目地２７に、本発明の止水構造が適用されてもよい。又は、バルコニーを有する建物において、バルコニー床部付近の縦目地に、本発明の止水構造が適用されてもよい。
【００８２】
・本発明は、ユニット式建物にも適用可能であり、例えば鉄骨軸組工法の建物や、在来木造工法の建物等にも適用可能である。
【符号の説明】
【００８３】
１０…建物、２０…外壁部、２４…外壁パネル、２５…壁材、２６…下地フレーム、２８…縦目地、３１…止水部材、３３…壁下シート、３５…ガスケット（定形シール）、３６…防水テープ（止水シート、第１シート）、３７…シールカバー（止水シート、第２シート）、３７ｂ…突起部、３８…シリコンシール（不定形シール）、４１…シールカバー（止水シート、第２シート）、４１ｂ…膨出部、５１…止水シート、５１ｂ…突起部。
【図１】
2018003378.tif 000003
【図２】
2018003378.tif 000004
【図３】
2018003378.tif 000005
【図４】
2018003378.tif 000006
【図５】
2018003378.tif 000007
【図６】
2018003378.tif 000008
【図７】
2018003378.tif 000009
【図８】
2018003378.tif 000010
【図９】
2018003378.tif 000011
【図１０】
2018003378.tif 000012
【図１１】
2018003378.tif 000013
【図１２】
2018003378.tif 000014